(57)【要約】【課題】光沢ムラを抑制して仕上がりを良好とすることのできる表面処理装置、画像形成装置及び画像形成方法を提供する。【解決手段】表面処理部６０は、画像形成部４０によってトナー画像が形成された用紙に対し加熱する領域を選択可能に加熱して該用紙の表面処理を行う。制御部は、画像データを入力し、該入力した画像データに基づいて画像形成部４０にトナー画像を用紙に形成させるとともに、入力した画像データから特定されるトナー量を判定する。制御部は、判定結果に応じて該トナー量を判定した位置に対応する用紙の領域を表面処理部に加熱させる。【選択図】図１
2013190708.tif 000002
【特許請求の範囲】
【請求項１】
用紙に対し加熱する領域を選択可能に加熱して該用紙の表面処理を行う表面処理部と、
画像データを入力し、該入力した画像データから特定されるトナー量を判定し、該判定結果に応じて該トナー量を判定した位置に対応する前記用紙の領域を前記表面処理部に加熱させる制御を行う制御部と、
を備えたことを特徴とする表面処理装置。
【請求項２】
前記制御部は、前記判定したトナー量に対応する熱量で前記表面処理部に前記用紙を加熱させることを特徴とする請求項１に記載の表面処理装置。
【請求項３】
前記制御部は、前記表面処理部にて表面処理が行われる用紙の種類を判定し、該判定した用紙の種類に対応する熱量で前記表面処理部に前記用紙を加熱させることを特徴とする請求項１又は２に記載の表面処理装置。
【請求項４】
前記画像データはドットデータであり、
前記制御部は、単位面積あたりのドット数によってトナー量の判定を行うことを特徴とする請求項１〜３の何れか一項に記載の表面処理装置。
【請求項５】
前記表面処理部は、サーマルヘッドであることを特徴とする請求項１〜４の何れか一項に記載の表面処理装置。
【請求項６】
用紙にトナー画像を形成する画像形成部と、
前記画像形成部によってトナー画像が形成された用紙に対し加熱する領域を選択可能に加熱して該用紙の表面処理を行う表面処理部と、
画像データを入力し、該入力した画像データに基づいて前記画像形成部にトナー画像を用紙に形成させるとともに、入力した前記画像データから特定されるトナー量を判定し、該判定結果に応じて該トナー量を判定した位置に対応する前記用紙の領域を前記表面処理部に加熱させる制御を行う制御部と、
を備えたことを特徴とする画像形成装置。
【請求項７】
前記制御部は、前記判定したトナー量に対応する熱量で前記表面処理部に前記用紙を加熱させることを特徴とする請求項６に記載の画像形成装置。
【請求項８】
前記制御部は、前記表面処理部にて表面処理が行われる用紙の種類を判定し、該判定した用紙の種類に対応する熱量で前記表面処理部に前記用紙を加熱させることを特徴とする請求項６又は７に記載の画像形成装置。
【請求項９】
前記画像データはドットデータであり、
前記制御部は、単位面積あたりのドット数によってトナー量の判定を行うことを特徴とする請求項６〜８の何れか一項に記載の画像形成装置。
【請求項１０】
前記表面処理部は、用紙の搬送方向に直交する方向に長手となるように設けられたサーマルヘッドであることを特徴とする請求項６〜９の何れか一項に記載の画像形成装置。
【請求項１１】
画像データに基づいて用紙にトナー画像を形成する画像形成工程と、
前記画像形成工程においてトナー画像が形成された用紙に対し加熱する領域を選択的に加熱して該用紙の表面処理を行う表面処理工程と、
を含み、
前記表面処理工程において、前記画像データから特定されるトナー量を判定し、該判定結果に応じて該トナー量を判定した位置に対応する前記用紙の領域を加熱することを特徴とする画像形成方法。
【請求項１２】
前記表面処理工程において、前記判定したトナー量に対応する熱量で前記用紙を加熱することを特徴とする請求項１１に記載の画像形成方法。
【請求項１３】
前記表面処理工程において、表面処理が行われる用紙の種類を判定し、該判定した用紙の種類に対応する熱量で前記用紙を加熱することを特徴とする請求項１１又は１２に記載の画像形成方法。
【請求項１４】
前記画像データはドットデータであり、
前記表面処理工程において、単位面積当たりのドット数によってトナー量を判定する請求項１１〜１３の何れか一項に記載の画像形成方法。
【発明の詳細な説明】
【技術分野】
【０００１】
本発明は、表面処理装置、画像形成装置及び画像形成方法に関する。
【背景技術】
【０００２】
従来、感光体ドラム等の像担持体上に、帯電、露光、現像等の電子写真プロセスを用いてトナー画像を形成し、当該トナー画像を用紙に形成した後に定着装置によってトナー画像を用紙に定着させる画像形成装置が知られている。
【０００３】
このような画像形成装置において、定着後の用紙における画像形成部分に対して選択的に加熱することにより光沢を付与するためのサーマルヘッドを備えた画像形成装置がある（例えば、特許文献１）。
【先行技術文献】
【特許文献】
【０００４】
【特許文献１】特開２０１１−９９９１３号公報
【発明の概要】
【発明が解決しようとする課題】
【０００５】
しかしながら、上記特許文献１に記載の画像形成装置は、トナー画像が形成された領域に対し、サーマルヘッドにて一様に加熱するものであり、加熱後の光沢度はトナー量（画像濃度）に応じて異なるため、用紙上の同一面内において光沢ムラが生じ、画質の低下を招く結果となってしまう。
【０００６】
本発明の課題は、光沢ムラを抑制して仕上がりを良好とすることのできる表面処理装置、画像形成装置及び画像形成方法を提供することである。
【課題を解決するための手段】
【０００７】
以上の課題を解決するため、請求項１に記載の発明は、表面処理装置において、
用紙に対し加熱する領域を選択可能に加熱して該用紙の表面処理を行う表面処理部と、
画像データを入力し、該入力した画像データから特定されるトナー量を判定し、該判定結果に応じて該トナー量を判定した位置に対応する前記用紙の領域を前記表面処理部に加熱させる制御を行う制御部と、
を備えたことを特徴とする。
【０００８】
請求項２に記載の発明は、請求項１に記載の表面処理装置において、
前記制御部は、前記判定したトナー量に対応する熱量で前記表面処理部に前記用紙を加熱させることを特徴とする。
【０００９】
請求項３に記載の発明は、請求項１又は２に記載の表面処理装置において、
前記制御部は、前記表面処理部にて表面処理が行われる用紙の種類を判定し、該判定した用紙の種類に対応する熱量で前記表面処理部に前記用紙を加熱させることを特徴とする。
【００１０】
請求項４に記載の発明は、請求項１〜３の何れか一項に記載の表面処理装置において、
前記画像データはドットデータであり、
前記制御部は、単位面積あたりのドット数によってトナー量の判定を行うことを特徴とする。
【００１１】
請求項５に記載の発明は、請求項１〜４の何れか一項に記載の表面処理装置において、
前記表面処理部は、サーマルヘッドであることを特徴とする。
【００１２】
請求項６に記載の発明は、画像形成装置において、
用紙にトナー画像を形成する画像形成部と、
前記画像形成部によってトナー画像が形成された用紙に対し加熱する領域を選択可能に加熱して該用紙の表面処理を行う表面処理部と、
画像データを入力し、該入力した画像データに基づいて前記画像形成部にトナー画像を用紙に形成させるとともに、入力した前記画像データから特定されるトナー量を判定し、該判定結果に応じて該トナー量を判定した位置に対応する前記用紙の領域を前記表面処理部に加熱させる制御を行う制御部と、
を備えたことを特徴とする。
【００１３】
請求項７に記載の発明は、請求項６に記載の画像形成装置において、
前記制御部は、前記判定したトナー量に対応する熱量で前記表面処理部に前記用紙を加熱させることを特徴とする。
【００１４】
請求項８に記載の発明は、請求項６又は７に記載の画像形成装置において、
前記制御部は、前記表面処理部にて表面処理が行われる用紙の種類を判定し、該判定した用紙の種類に対応する熱量で前記表面処理部に前記用紙を加熱させることを特徴とする。
【００１５】
請求項９に記載の発明は、請求項６〜８の何れか一項に記載の画像形成装置において、
前記画像データはドットデータであり、
前記制御部は、単位面積あたりのドット数によってトナー量の判定を行うことを特徴とする。
【００１６】
請求項１０に記載の発明は、請求項６〜９の何れか一項に記載の画像形成装置において、
前記表面処理部は、用紙の搬送方向に直交する方向に長手となるように設けられたサーマルヘッドであることを特徴とする。
【００１７】
請求項１１に記載の発明は、画像形成方法において、
画像データに基づいて用紙にトナー画像を形成する画像形成工程と、
前記画像形成工程においてトナー画像が形成された用紙に対し加熱する領域を選択的に加熱して該用紙の表面処理を行う表面処理工程と、
を含み、
前記表面処理工程において、前記画像データから特定されるトナー量を判定し、該判定結果に応じて該トナー量を判定した位置に対応する前記用紙の領域を加熱することを特徴とする。
【００１８】
請求項１２に記載の発明は、請求項１１に記載の画像形成方法において、
前記表面処理工程において、前記判定したトナー量に対応する熱量で前記用紙を加熱することを特徴とする。
【００１９】
請求項１３に記載の発明は、請求項１１又は１２に記載の画像形成方法において、
前記表面処理工程において、表面処理が行われる用紙の種類を判定し、該判定した用紙の種類に対応する熱量で前記用紙を加熱することを特徴とする。
【００２０】
請求項１４に記載の発明は、請求項１１〜１３の何れか一項に記載の画像形成方法において、
前記画像データはドットデータであり、
前記表面処理工程において、単位面積当たりのドット数によってトナー量を判定する。
【発明の効果】
【００２１】
本発明によれば、光沢ムラを抑制して仕上がりを良好とすることができる。
【図面の簡単な説明】
【００２２】
【図１】画像形成装置の内部構成を示す図である。
【図２】表面処理部の概略構成を示す平面図である。
【図３】電流量と用紙に投与する熱量との関係について説明する図である。
【図４】画像形成装置の機能的構成を示すブロック図である。
【図５】用紙に対する表面処理の手順を示すフローチャートである。
【図６】トナー付着量の算出単位について説明する図である。
【図７】トナー付着量と表面処理部の発熱体に付与する電流量との関係について説明する図である。
【図８】用紙の種類と電流量の補正係数との関係について説明する図である。
【発明を実施するための形態】
【００２３】
以下、本発明の実施の形態について図面を参照しながら説明する。なお、発明の範囲は図示例に限定されない。
【００２４】
画像形成装置１は、例えば、図１に示すように、画像読取部３０、画像形成部４０、給紙部５０及び表面処理部６０を備えて構成されている。
【００２５】
画像読取部３０は、自動原稿給紙装置（ＡＤＦ：Auto Document Feeder）と、プラテンガラスと、ＣＣＤ（Charge Coupled Device）と、光源とを備えている。そして、画像読取部３０は、光源からＡＤＦによって供給された原稿や所定の位置にセットされた原稿に対して照明走査した光の反射光をＣＣＤにより結像して光電変換することにより、原稿の画像をＲ，Ｇ，Ｂ信号として読み取り、読み取ったアナログ画像信号をＲ，Ｇ，Ｂの画像データに変換して出力する。
【００２６】
出力された画像データは、所定の画像処理を経て、ＹＭＣＫデータに変換されて画像形成部４０に送られる。
【００２７】
画像形成部４０は、複数組の画像形成ユニット４０Ｙ，４０Ｍ，４０Ｃ，４０Ｋと、無終端状の中間転写ベルト４０７と、給紙された用紙を搬送する搬送部４２０と、用紙に転写されたトナー画像を定着するための定着部４１３とを備えている。
【００２８】
イエロー（Ｙ）色の画像を形成する画像形成ユニット４０Ｙは、像担持体としての感光体ドラム４０１Ｙと、現像器４０２Ｙと、感光体ドラム４０１Ｙの周囲に配置された帯電器４０３Ｙと、レーザー部４０４Ｙと、クリーナー４０５Ｙと、１次転写ローラー４０６Ｙとを備えている。
【００２９】
マゼンタ（Ｍ）色の画像を形成する画像形成ユニット４０Ｍも同様に、感光体ドラム４０１Ｍと、現像器４０２Ｍと、帯電器４０３Ｍと、レーザー部４０４Ｍと、クリーナー４０５Ｍと、１次転写ローラー４０６Ｍとを備えている。
【００３０】
シアン（Ｃ）色の画像を形成する画像形成ユニット４０Ｃも同様に、感光体ドラム４０１Ｃと、現像器４０２Ｃと、帯電器４０３Ｃと、レーザー部４０４Ｃと、クリーナー４０５Ｃと、１次転写ローラー４０６Ｃとを備えている。
【００３１】
黒（Ｋ）色の画像を形成する画像形成ユニット４０Ｋも同様に、感光体ドラム４０１Ｋと、現像器４０２Ｋと、帯電器４０３Ｋと、レーザー部４０４Ｋと、クリーナー４０５Ｋと、１次転写ローラー４０６Ｋとを備えている。
【００３２】
ここで、画像形成部４０における画像形成動作について説明する。まず、画像形成ユニット４０Ｙにおいて、感光体ドラム４０１Ｙが回転し、その表面が帯電器４０３Ｙにより帯電され、レーザー部４０４Ｙから出力されるレーザー光源の露光によりその帯電部分にＹデータの画像の潜像が形成される。そして、現像器４０２Ｙによりその潜像部分が現像されイエローのトナー画像が形成される。そのトナー画像は１次転写ローラー４０６Ｙの圧接により中間転写ベルト４０７に一次転写される。トナー画像は、出力対象の画像データに対応するイエローの像となる。一次転写されなかったトナーは、クリーナー４０５Ｙにより除去される。
【００３３】
画像形成ユニット４０Ｍ，４０Ｃ，４０Ｋについても同様に、マゼンタのトナー画像、シアンのトナー画像、黒のトナー画像がそれぞれ形成及び転写される。画像形成部４０は、ローラー４０８、２次転写ローラー４１０をさらに備えており、これらのローラー４０８及び２次転写ローラー４１０や、１次転写ローラー４０６Ｙ，４０６Ｍ，４０６Ｃ，４０６Ｋの回転により、中間転写ベルト４０７が周回される。そして、中間転写ベルト４０７が周回されることにより、ＹＭＣＫのトナー画像が中間転写ベルト４０７上に順に重ねられて転写される。
【００３４】
給紙部５０は、給紙トレイ５００Ａ，５００Ｂ，５００Ｃと、給紙トレイ５００Ａ〜５００Ｃにセットされた用紙を搬送部４２０に搬送するための給紙ローラー５０１Ａ，５０１Ｂ，５０１Ｃとを備えている。
そして、画像形成部４０によって用紙に画像を形成するときには、給紙ローラー５０１Ａ〜５０１Ｃの何れかの回動により給紙トレイ５００Ａ〜５００Ｃの何れかから用紙が１枚ずつ搬送され、搬送部４２０におけるレジストローラー４０９の回転により２次転写ローラー４１０に搬送される。
【００３５】
２次転写ローラー４１０の圧接部を用紙が通過するときに、中間転写ベルト４０７上のＹＭＣＫのトナー画像が用紙に二次転写される。ＹＭＣＫのトナー画像が転写された用紙は、定着部４１３を通過する。
【００３６】
定着部４１３は、加熱ローラー４１３ａ、定着ローラー４１３ｂ、定着ベルト４１３ｃ及び加圧ローラー４１３ｄを備えている。定着ベルト４１３ｃは、加熱ローラー４１３ａ及び定着ローラー４１３ｂによって張架されている。加熱ローラー４１３ａは、内部に高出力ヒーターを備えており、用紙の搬送方向に対して順方向に回転し、定着ベルト４１３ｃを介して定着ローラー４１３ｂを加熱する。定着ローラー４１３ｂは、用紙Ｓの搬送方向に対して順方向に回転し、搬送されてきた用紙の定着面を加熱及び加圧する。加圧ローラー４１３ｄは、用紙の搬送方向に対して順方向に回転し搬送されてきた用紙の非定着面を加圧する。定着部４１３は、以上のように構成して用紙に対して加圧及び加熱が実施されることにより、ＹＭＣＫのトナー画像が用紙上に定着される。トナー画像が定着された用紙は、排紙ローラー４１７により排出される。
【００３７】
両面に画像形成をする場合には、片面（表面）に画像形成された用紙が、搬送路切換板４１４により両面搬送ユニット４１５に送り込まれ、両面搬送ユニット４１５により面が反転される。そして、画像形成されていない面（裏面）に再び画像形成されるように、用紙がレジストローラー４０９により２次転写ローラー４１０に搬送され、画像形成される。両面に画像が形成され、トナーの定着が行われた用紙は、排紙ローラー４１７により、排紙トレイ４１９に搬送される。なお、本実施の形態においては、レジストローラー４０９、２次転写ローラー４１０、両面搬送ユニット４１５及び排紙ローラー４１７等によって用紙が搬送される流路を搬送部４２０と称する。
【００３８】
また、本実施の形態では、定着部４１３の下流側に、定着部４１３によって加圧及び加熱された用紙の表面を加熱して表面処理を実施する表面処理部６０が設けられている。表面処理部６０は、用紙の表面を加熱して用紙の表面に光沢を付与することにより表面処理を行う。表面処理部６０は、例えば、サーマルヘッドであって、図２に示すように、搬送部４２０の上面側に配置されており、用紙Ｓの搬送方向と直交する方向（主走査方向）に複数の発熱体６０ａを一次元アレイ状に配置している。なお、複数の発熱体６０ａが主走査方向と副走査方向との二次元アレイ状に配置されたものであってもよい。表面処理部６０は、複数の発熱体６０ａをそれぞれ個別に通電制御することにより、用紙の全面領域あるいは任意の部分的領域に選択的に光沢を付与することができる。発熱体６０ａは電流が付与されることにより発熱し、図３に示すように、電流量を可変することにより、用紙に投与する熱量を調整することができる。
【００３９】
用紙への画像形成後、ベルトクリーニング４１２により、中間転写ベルト４０７上に残留したトナーが除去される。また、２次転写ローラー４１０に対して、図示しない電源からプラス極性の電流及びマイナス極性の電流を交互に切り換えて所定時間流すことにより、２次転写ローラー４１０に残留したトナーが中間転写ベルト４０７に再転写され、２次転写ローラー４１０のクリーニングが行われる。
【００４０】
次に、画像形成装置１の制御系の構成について説明する。画像形成装置１は、図４に示すように、上述した画像読取部３０、画像形成部４０、給紙部５０及び表面処理部６０の他、制御部１０、ＨＤＤ（Hard Disk Drive）１４、操作表示部２０及び通信部７０を備えている。
【００４１】
ＨＤＤ１４は、制御部１０からの指示に従って、各種データを記憶する。
【００４２】
操作表示部２０は、例えば、ＬＣＤ（Liquid Crystal Display）、タッチパネル、テンキー等を備えて構成される。このように構成された操作表示部２０は、制御部１０からの表示信号を受信してＬＣＤに表示を行い、タッチパネルやテンキーから入力される操作信号を制御部１０に出力する。
【００４３】
通信部７０は、ＬＡＮ（Local Area Network）、ＷＡＮ（Wide Area Network）等の通信ネットワークＮに接続された伝送媒体に接続可能なインターフェースである。通信部７０は、例えばＬＡＮカード等の通信制御カードにより構成され、ＬＡＮケーブルとの通信回線を介して通信ネットワークＮに接続されたホスト装置等の外部の装置との間で各種データの送受信を行う。
【００４４】
制御部１０は、ＣＰＵ（Central Processing Unit）１１、ＲＡＭ（Random Access Memory）１２、ＲＯＭ（Read Only Memory）１３等を備えて構成される。ＲＯＭ１３には、各種処理プログラムが記憶されており、ＣＰＵ１１は、ＲＯＭ１３に記憶されている各種プログラムを読み出してＲＡＭ１２に展開し、展開したプログラムに従って画像形成装置１の各部の動作を制御する。
【００４５】
例えば、制御部１０は、画像読取部３０や通信部７０から画像データが入力されると、入力された画像データに各種画像処理を施して１ページ毎に画像形成部４０に出力し、画像形成を行わせる。画像処理としては、例えば、画像読取部３０から入力されたＲ，Ｇ，Ｂ画像データのＹ，Ｍ，Ｃ，Ｋ画像データへの変換処理、通信部７０を介してホスト装置（図示しない）等から入力された画像データを所定のページ記述言語によって画像形成装置１で画像形成可能なデータ形式のＹ，Ｍ，Ｃ，Ｋの画像データに変換する処理等が挙げられる。
【００４６】
また、制御部１０は、上述のようにして入力した画像データから用紙に形成するトナー画像を構成するトナーの量（トナー付着量）を判定し、この判定結果に応じて、表面処理部６０の複数の発熱体６０ａに付与する電流の量を調整することにより、用紙を加熱する際の用紙に付与する熱量を調整する制御を行う。本実施の形態では、制御部１０及び表面処理部６０を総称して表面処理装置ということがある。
【００４７】
すなわち、制御部１０は、図５に示すように、先ず、画像データを所定単位面積の複数のエリアに分割し、分割したエリア毎のトナー付着量を算出する（ステップＳ１０１）。すなわち、制御部１０は、図６に示すように、用紙Ｓに対応付けられた画像データを複数のエリアＡに分割する。エリアＡの単位面積は、主走査方向の長さについては、例えば、表面処理部６０の発熱体６０ａの素子ピッチに対応している。例えば、６００ｄｐｉとなる間隔で発熱体６０ａが配置されている場合には、エリアＡの間隔が発熱体６０ａの間隔と同等となるように主走査方向の長さが設定される。また、副走査方向の長さについては、例えば、用紙の搬送速度や発熱体６０ａの応答速度等を考慮して設定される。なお、エリアＡの単位面積は上述したものに限定されず、適宜設定することができる。そして、制御部１０は、上述のようにして設定された複数のエリアＡのそれぞれについて、トナー付着量を判定する。トナー付着量は、エリアＡ内の印字ドット数と、予め実験的に求められた１ドットあたりのトナー付着量とから算出される。トナー付着量は、ＹＭＣＫの各色についてそれぞれ算出し、これらを合算することにより、エリアＡ毎のトナー付着量を求めることができる。
【００４８】
次に、制御部１０は、表面処理部６０によって用紙に対して投与する熱量を、算出されたトナー付着量に応じてエリア毎に算出する（ステップＳ１０２）。ここで、用紙の光沢度は、図７（Ａ）に示すように、用紙に形成されたトナー画像のトナー付着量が多いほど高くなる。したがって、図７（Ｂ）に示すように、トナー付着量が少ないほど、表面処理部６０の発熱体６０ａに付与する電流の量が大きくなるように調整することにより、用紙の面上における光沢を均一にすることができるようになる。そこで、制御部１０は、例えば、図７（Ｂ）に示すようなテーブルを使用して、トナー付着量から発熱体６０ａ毎の電流の量を求めることにより、用紙に対して投与する熱量をエリア毎に算出することができる。
さらに、本実施の形態では、用紙の種類や坪量に応じて出力される用紙の光沢が異なることから、制御部１０は、例えば、図８に示すようなテーブルを用いて、発熱体６０ａに付与する電流の量を補正する。すなわち、制御部１０は、上述のようにして求められた発熱体６０ａ毎の電流の量に対し、用紙の種類及び坪量に応じた係数を乗じることにより、発熱体６０ａに付与する電流の量を補正する。これにより、用紙に投与される熱量が補正後の電流量に応じて調整される。
【００４９】
その後、制御部１０は、算出された熱量で用紙に対して加熱されるように表面処理部６０の複数の発熱体６０ａに付与する電流の量を調整する（ステップＳ１０３）。
【００５０】
本実施の形態では、上述したように構成することにより、用紙における面上の光沢ムラを改善して、仕上がりを良好なものとすることができる。
また、本実施の形態では、出力された用紙の光沢を用紙の種類に拘わらず同等とすることができる。
【００５１】
以上説明したように、本実施の形態によれば、画像形成部４０は、用紙にトナー画像を形成する。表面処理部６０は、画像形成部４０によってトナー画像が形成された用紙に対し加熱する領域を選択可能に加熱して該用紙の表面処理を行う。制御部１０は、画像データを入力し、該入力した画像データに基づいて画像形成部４０にトナー画像を用紙に形成させるとともに、入力した画像データから特定されるトナー量を判定する。制御部１０は、判定結果に応じて該トナー量を判定した位置に対応する用紙の領域を表面処理部に加熱させる。その結果、用紙に形成されたトナー画像のトナー量の相違によって生じる用紙の面上における光沢ムラを抑制して仕上がりを良好とすることができる。
【００５２】
また、本実施の形態によれば、制御部１０は、判定したトナー量に対応する熱量で表面処理部６０に用紙を加熱させる。その結果、用紙に投与される熱量をトナー量に応じて調整することにより、トナー量に応じた光沢度の調整が可能となり、光沢ムラを抑制して仕上がりをより良好なものとすることができるようになる。
【００５３】
また、本実施の形態によれば、制御部１０は、表面処理部６０にて表面処理が行われる用紙の種類を判定する。制御部１０は、判定した用紙の種類に対応する熱量で表面処理部６０に用紙を加熱させる。その結果、出力された用紙の光沢を用紙の種類に拘わらず同等とすることができる。
【００５４】
また、本実施の形態によれば、制御部１０は、単位面積あたりのドット数によってトナー量の判定を行う。その結果、例えば、表面処理部の加熱素子の素子ピッチに対応させることができ、より精度よく光沢ムラを抑制することができる。
【００５５】
また、本実施の形態によれば、表面処理部６０は、用紙の搬送方向に直交する方向に長手となるように設けられたサーマルヘッドとしたので、簡素な構成により光沢ムラを抑制することができる。
【００５６】
なお、本発明の実施の形態における記述は、本発明に係る画像形成装置の一例であり、これに限定されるものではない。画像形成装置を構成する各機能部の細部構成及び細部動作に関しても適宜変更可能である。
【００５７】
また、本実施の形態では、加熱ローラー４１３ａ、定着ローラー４１３ｂ及び定着ベルト４１３ｃによって加熱部材を構成したが、加熱ローラーによって加熱部材を構成し、この加熱ローラーと加圧ローラーとによって用紙に対して加圧及び加熱を実施する構成であってもよい。
【００５８】
また、本実施の形態では、トナー付着量に応じた熱量が用紙に投与されるように表面処理部６０が制御されるように構成したが、例えば、トナー付着量が所定量であることに応じて、用紙に一定熱量が投与されるように表面処理部６０が制御されるものであってもよい。具体的には、トナー付着量が所定量を下回ったことに応じて、表面処理部６０が用紙に所定の熱量を投与するように構成してもよい。
【００５９】
また、本実施の形態では、レーザー部にて一定の出力でドットの印字を行うものであって、単位面積あたりのドット数と１ドットあたりのトナー付着量とから単位面積あたりのトナー付着量を算出するようにしたが、例えば、エリア毎にレーザー部の出力を変更しながらエリア全域にドットの印字を行うことで、単位面積あたりのトナー画像の濃度が変更される構成であって、レーザー部の出力に応じて単位面積あたりのトナー付着量を算出するようにしてもよい。
【００６０】
また、本実施の形態では、表面処理部６０の一例としてサーマルヘッドを適用したが、用紙の全面領域あるいは任意の部分的領域に選択的に熱量を付与することができるような構成であればよく、例えば、レーザーを照射することにより熱量を付与する構成であってもよい。
【００６１】
また、本実施の形態では、用紙の種類と坪量とに応じて表面処理部６０の発熱体６０ａに付与する電流の量を補正するようにしたが、このような補正を行わない構成であってもよい。
【００６２】
また、本実施の形態では、表面処理部６０を制御部１０によるソフトウェア処理により制御するようにしたが、例えば、ＡＳＩＣ（Application Specific Integrated Circuit）等のハードウェア構成により制御を行うようにしてもよい。
【００６３】
また、本実施の形態では、ＣＭＹＫの４色のトナー材で用紙にトナー画像を形成するカラー画像形成装置としたが、単色のトナー材で用紙にトナー画像を形成する画像形成装置に適用してもよい。
【符号の説明】
【００６４】
１  画像形成装置
１０  制御部
４０  画像形成部
６０  表面処理部
【図１】
2013190708.tif 000003
【図２】
2013190708.tif 000004
【図３】
2013190708.tif 000005
【図４】
2013190708.tif 000006
【図５】
2013190708.tif 000007
【図６】
2013190708.tif 000008
【図７】
2013190708.tif 000009
【図８】
2013190708.tif 000010